(57)【要約】【課題】  音声ファイルを記録する機器の操作時間と静止画ファイルを記録する機器の操作時間とが大きくずれた場合でも、音声ファイルと静止画ファイルとを組合せて再生可能な再生装置を提供する。【解決手段】  再生ボタン２４が操作されると、システム制御機構１４はファイル管理機構２０に命令を出し、記憶メモリ機構２１から音声ファイルを呼び出し、日付時刻情報を再生時刻に記憶するとともに、その再生時刻にＮ秒を加算する。システム制御機構１４はファイル管理機構２０に命令を出して記憶メモリ機構２１中に存在する静止画ファイルの日付時刻情報を取得し、日付時刻情報が「再生時刻＋Ｎ秒」に一致する静止画ファイルがあった場合、ファイル管理機構２０に画像データ処理機構１３へ静止画ファイルを出力するよう命令し、画像データ処理機構１３へ画像再生命令を出す。【選択図】      図１
2006197042.tif 000002
【特許請求の範囲】
【請求項１】
記録された音声及び静止画を関連付けて再生する再生装置であって、前記音声の再生時に当該音声の記録日時に予め設定された所定数を演算する手段と、前記所定数が演算された時刻に一致する静止画を前記記録された静止画の中から検索する手段とを有し、当該音声と検索された静止画とを同時に再生することを特徴とする再生装置。
【請求項２】
前記所定数を演算する手段は、前記音声の記録日時への前記所定数の加算及び減算のうちの少なくとも一方を行うことを特徴とする請求項１記載の再生装置。
【請求項３】
前記音声及び前記静止画のうちのを少なくとも一方を記録する機能を含むことを特徴とする請求項１または請求項２記載の再生装置。
【請求項４】
少なくとも携帯電話機、静止画カメラ、携帯情報端末のうちのいずれかであることを特徴とする請求項１から請求項３のいずれか記載の再生装置。
【請求項５】
記録された音声及び静止画を関連付けて再生する再生装置に用いられる静止画／音声再生方法であって、前記再生装置が、前記音声の再生時に当該音声の記録日時に予め設定された所定数を演算する処理と、前記所定数が演算された時刻に一致する静止画を前記記録された静止画の中から検索する処理とを実行し、当該音声と検索された静止画とを同時に再生することを特徴とする静止画／音声再生方法。
【請求項６】
前記所定数を演算する処理は、前記音声の記録日時への前記所定数の加算及び減算のうちの少なくとも一方を行うことを特徴とする請求項５記載の静止画／音声再生方法。
【請求項７】
前記再生装置が、前記音声及び前記静止画のうちのを少なくとも一方を記録する機能を含むことを特徴とする請求項５または請求項６記載の静止画／音声再生方法。
【請求項８】
前記再生装置が、少なくとも携帯電話機、静止画カメラ、携帯情報端末のうちのいずれかであることを特徴とする請求項５から請求項７のいずれか記載の静止画／音声再生方法。
【請求項９】
記録された音声及び静止画を関連付けて再生する再生装置に用いられる静止画／音声再生方法のプログラムであって、コンピュータに、前記音声の再生時に当該音声の記録日時に予め設定された所定数を演算する処理と、前記所定数が演算された時刻に一致する静止画を前記記録された静止画の中から検索する処理とを実行させ、当該音声と検索された静止画とを同時に再生させるためのプログラム。
【発明の詳細な説明】
【技術分野】
【０００１】
本発明は再生装置及びそれに用いる静止画／音声再生方法並びにそのプログラムに関し、特に音声ファイルと静止画ファイルとが再生可能な装置に関する。
【背景技術】
【０００２】
従来、音声ファイルと静止画ファイルとが再生可能な装置においては、音声ファイルの再生タイミングと静止画ファイルの再生タイミングとを関連付ける手法が用いられている。
【０００３】
この音声ファイルの再生タイミングと静止画ファイルの再生タイミングとを関連付ける手法としては、図６に示すように、音声ファイル名３１に対応付けて画像ファイル名３２，３４と、その表示タイミング（ｔ１）３３，（ｔ２）３５とを対応付けて保持する表示タイミング静止画再生タイミング管理ファイルを別途作成し、音声ファイルに複数の静止画ファイルを関連付けて再生可能にする手法がある（例えば、特許文献１参照）。
【０００４】
また、音声ファイルの再生タイミングと静止画ファイルの再生タイミングとを関連付ける他の手法としては、画像データと音声データとを組み合わせて再生したり、外部機器に出力する際に、画像データ及び音声データ双方の記録時刻が最も近い組合せであるか等を判断し、適正な組合せと判断された時に再生または出力を行う手法がある（例えば、特許文献２参照）。
【０００５】
【特許文献１】特開２００１−０６９４５３号公報
【特許文献２】特開平０６−０９０４２９号公報
【発明の開示】
【発明が解決しようとする課題】
【０００６】
上述した従来の音声ファイルと静止画ファイルとが再生可能な装置では、上記の特許文献１記載の技術の場合、静止画再生タイミング管理ファイルを別途作成して制御することが必要であり、処理の実装規模が大きくなるという問題がある。つまり、特許文献１記載の技術では、静止画再生タイミング管理ファイルについて記録、再生の双方での処理が必要となり、処理の実装サイズが大きくなる。
【０００７】
また、特許文献１記載の技術では、静止画再生タイミング管理ファイルのサイズが記録された静止画の数に伴って増加するという問題もある。特に、静止画ファイルが多い場合には、記憶メモリの容量を有効に利用することができないことになる。
【０００８】
さらに、従来の音声ファイルと静止画ファイルとが再生可能な装置では、上記の特許文献２記載の技術の場合、上記の特許文献１記載の技術による問題を解決することができるが、常に記録時刻が最も近い組合せしか適正な組合せと判断されないため、音声ファイルを記録する機器の操作時間と静止画ファイルを記録する機器の操作時間とが大きくずれると、適正な組合せと判断されなくなってしまうため、それら音声ファイルと静止画ファイルとの組合せを実現することができない。
【０００９】
そこで、本発明の目的は、上記の問題点を解消し、音声ファイルを記録する機器の操作時間と静止画ファイルを記録する機器の操作時間とが大きくずれた場合でも、音声ファイルと静止画ファイルとを組合せて再生することができる再生装置及びそれに用いる静止画／音声再生方法並びにそのプログラムを提供することにある。
【課題を解決するための手段】
【００１０】
本発明による再生装置は、記録された音声及び静止画を関連付けて再生する再生装置であって、前記音声の再生時に当該音声の記録日時に予め設定された所定数を演算する手段と、前記所定数が演算された時刻に一致する静止画を前記記録された静止画の中から検索する手段とを備え、当該音声と検索された静止画とを同時に再生している。
【００１１】
本発明による静止画／音声再生方法は、記録された音声及び静止画を関連付けて再生する再生装置に用いられる静止画／音声再生方法であって、前記再生装置が、前記音声の再生時に当該音声の記録日時に予め設定された所定数を演算する処理と、前記所定数が演算された時刻に一致する静止画を前記記録された静止画の中から検索する処理とを実行し、当該音声と検索された静止画とを同時に再生している。
【００１２】
本発明による静止画／音声再生方法のプログラムは、記録された音声及び静止画を関連付けて再生する再生装置に用いられる静止画／音声再生方法のプログラムであって、コンピュータに、前記音声の再生時に当該音声の記録日時に予め設定された所定数を演算する処理と、前記所定数が演算された時刻に一致する静止画を前記記録された静止画の中から検索する処理とを実行させ、当該音声と検索された静止画とを同時に再生させている。
【００１３】
すなわち、本発明の再生装置は、静止画ファイルと音声ファイルとを再生可能な装置であり、一般的に実装されている静止画ファイル及び音声ファイルのファイルシステムの日付時刻情報を利用し、音声ファイルと静止画ファイルとの再生時刻を実際の時刻からずらして関連付けることを特徴としている。
【００１４】
本発明の再生装置では、音声ファイルの日付時刻情報と静止画ファイルの日付時刻情報とを利用し、音声ファイルの再生時に適切なタイミングで静止画ファイルを表示することで、音声ファイルに関連させて複数枚の静止画ファイルを表示するようにしたことを特徴としている。
【００１５】
これによって、本発明の再生装置では、一般的に実装されているファイルシステムを利用しているため、静止画再生タイミング管理ファイルの作成、書出し、読込みの処理を省略することが可能となり、容易に機能の実現を図ることが可能となる。
【００１６】
また、本発明の再生装置では、一般的に実装されているファイルシステムを利用しているため、適切な日付時刻情報が設定されていれば、他の装置において記録された音声ファイルや静止画ファイルであっても、再生タイミングを関連付けて再生することが可能となり、しかも静止画再生タイミング管理ファイルによる記憶メモリの消費量を抑えることが可能となる。
【００１７】
したがって、本発明の再生装置では、音声ファイルを記録する機器の操作時間と静止画ファイルを記録する機器の操作時間とが大きくずれた場合でも、音声ファイルと静止画ファイルとを組合せて再生することが可能となる。
【発明の効果】
【００１８】
本発明は、以下に述べるような構成及び動作とすることで、音声ファイルを記録する機器の操作時間と静止画ファイルを記録する機器の操作時間とが大きくずれた場合でも、音声ファイルと静止画ファイルとを組合せて再生することができるという効果が得られる。
【発明を実施するための最良の形態】
【００１９】
次に、本発明の実施例について図面を参照して説明する。図１は本発明の一実施例による再生装置の構成を示すブロック図である。図１において、再生装置１は、撮像素子１１と、画像処理回路１２と、画像データ処理機構１３と、システム制御機構１４と、画像表示機構１５と、マイク１６と、音声処理回路１７と、音声データ処理機構１８と、スピーカ１９と、ファイル管理機構２０と、記憶メモリ機構２１と、静止画撮影ボタン２２と、音声録音ボタン２３と、再生ボタン２４とから構成されている。
【００２０】
撮像素子１１はＣＣＤ（Ｃｈａｒｇｅ  Ｃｏｕｐｌｅｄ  Ｄｅｖｉｃｅ）センサ等によって実現され、画像処理回路１２は映像信号処理ＩＣ（集積回路）からなる。画像データ処理機構１３とシステム制御機構１４とファイル管理機構２０とはそれぞれマイクロコンピュータによって実現される。また、ファイル管理機構２０には、作成するファイルの日付時刻情報を管理できるＦＡＴ１６（１６ｂｉｔ  Ｆｉｌｅ  Ａｌｌｏｃａｔｉｏｎ  Ｔａｂｌｅ）等の一般的なファイルシステムが実装されている。
【００２１】
画像表示機構１５はＬＣＤ（Ｌｉｑｕｉｄ  Ｃｒｙｓｔａｌ  Ｄｉｓｐｌａｙ）パネルやＬＣＤパネルドライバによって構成され、マイク１６は音声入力のための機器であり、スピーカ１９は音声出力のための機器である。記憶メモリ機構２１はフラッシュメモリやハードディスクによって実現され、データや上記のマイクロコンピュータが実行するプログラムを格納する。静止画撮影ボタン２２、音声録音ボタン２３、再生ボタン２４は一連の操作ボタンである。
【００２２】
画像データ処理機構１３は画像を圧縮・伸張するもので、例えばＪＰＥＧ（Ｊｏｉｎｔ  Ｐｈｏｔｏｇｒａｐｈｉｃ  Ｅｘｐｅｒｔｓ  Ｇｒｏｕｐ）データに変換する。音声データ処理機構１８は音声を圧縮・伸張するもので、例えばＡＭＲ（Ａｄａｐｔｉｖｅ  Ｍｕｌｔｉｒａｔｅ）コーディックを使用する。画像データ処理機構１３や音声データ処理機構１８はマイクロコンピュータ以外に、専用のＩＣでも実現可能である。
【００２３】
図２及び図３は本発明の一実施例による再生装置１の動作を示す図であり、図４は音声ファイルと静止画ファイルとの関係を示す図であり、図５は本発明の一実施例による再生装置１の動作を示すフローチャートである。図２は再生装置１の記録時の動作を示し、図３は再生装置１の再生時の動作を示している。これら図２〜図５を参照して再生装置１の動作について説明する。尚、図５に示す処理は記憶メモリ機構２１に記録されたプログラムを上記のマイクロコンピュータが実行することで実現される。
【００２４】
音声録音ボタン２３が操作されると、システム制御機構１４はファイル管理機構２０に指令を出し、記憶メモリ機構２１に音声ファイルを作成し、音声ファイルのファイル管理情報に日付時刻情報を設定する。それと同時に、システム制御機構１４は音声データ処理機構１８に音声記録開始命令を出す。
【００２５】
マイク１６からのマイク信号が音声処理回路１７で処理された音声データは、音声録音開始命令が音声データ処理機構１８に入力されることによって圧縮処理され、音声圧縮データとしてファイル管理機構２０に入力され、ファイル管理機構２０によって音声ファイルとして記憶メモリ機構２１に記録される。
【００２６】
その後、画像撮影ボタン２２が操作されると、システム制御機構１４は画像データ処理機構１３に画像撮影開始命令を出す。撮像素子１１からの映像信号が画像処理回路２で処理された画像データは、画像撮影開始命令が画像データ処理機構１３に入力されることによって圧縮処理され、画像圧縮データとしてファイル管理機構２０に入力され、ファイル管理機構２０によって静止画ファイルとして日付時刻情報とともに記憶メモリ機構２１に記録される。
【００２７】
この時に、再度、静止画撮影ボタン２２が操作されると、上述した画像撮影ボタン１２が操作された後の一連の動作が再度行われ、静止画ファイルが日付時刻情報とともに記憶メモリ機構２１に記録される（図２参照）。
【００２８】
この時に作成される音声ファイルと静止画ファイルとの関係を図４に示す。音声ファイルＣの録音開始時間は日付時刻情報ｔ１として、また静止画ファイルＡの記録時間は日付時刻情報ｔ２、静止画ファイルＢの記録時間は日付時刻情報ｔ３としてそれぞれのファイルと日付時刻情報とが記憶メモリ機構２１に記憶されている。
【００２９】
一方、再生ボタン２４が操作されると、システム制御機構１４はファイル管理機構２０に命令を出し、記憶メモリ機構２１から音声ファイルを呼び出し、日付時刻情報を記録時刻に記憶するとともに（図５ステップＳ１）、その記録時刻にＮ秒（正または負の整数）を加算する（図５ステップＳ２）。この後、システム制御機構１４は音声ファイルを音声データ処理機構１８へ出力するように命令すると同時に、音声データ処理機構１８に音声再生開始命令を出す。
【００３０】
音声データ処理機構１８は音声再生開始命令を受けると、ファイル管理機構２０から入力された音声圧縮データを伸張処理し、音声処理回路１７へ出力する。音声処理回路１７は音声データ処理機構１８から入力した音声データを音声信号に変換してスピーカ１９へと出力する。
【００３１】
その後、システム制御機構１４はファイル管理機構２０に命令を出して記憶メモリ機構２１中に存在する静止画ファイルの日付時刻情報を取得し（図５ステップＳ３）、日付時刻情報が「記録時刻＋Ｎ秒」に一致する静止画ファイルがあった場合（図５ステップＳ４）、ファイル管理機構２０に画像データ処理機構１３へ静止画ファイルを出力するよう命令し、画像データ処理機構１３へ画像再生命令を出す（図５ステップＳ５）。
【００３２】
画像データ処理機構１３は画像再生命令を受けると、ファイル管理機構２０から入力される画像圧縮データを伸張処理し、画像処理回路１２へ出力する。画像処理回路１２は画像データ処理機構１３から入力した画像データを映像信号に変換して画像表示機構１５へと出力する（図３参照）。
【００３３】
この後、システム制御機構１４は記録時刻（「記録時刻＋Ｎ秒」）に記録経過時間を加算し（図５ステップＳ６）、以降の静止画ファイルについて上述した一連の動作を行う。
【００３４】
ここで、記録時刻に加算する「Ｎ」としては、５秒、１０秒、１５秒等、あるいは−５秒、−１０秒、−１５秒等と、音声ファイルを記録する機器や静止画ファイルを記録する機器の習熟度やテレビ会議等の使用状況に応じて設定することができる。
【００３５】
例えば、記録時刻に１０秒を加算することで、音声ファイルの記録時刻と比較して遅く記録された静止画を、実際の記録タイミングより早いタイミングで表示することができる。同様に、記録時刻に−１０秒を加算することで、静止画の表示タイミングを実際の記録タイミングよりも遅いタイミングで表示することができる。よって、本実施例では、音声と同時に再生される画像の表示内容を理解しやすくさせることができる。
【００３６】
このように、本実施例では、一般的に実装されているファイル管理機構２０を利用しているため、静止画再生タイミング管理ファイルの作成や書出し、読込みの処理を省略することができ、容易に静止画再生機能を実現することができる。
【００３７】
また、本実施例では、一般的に実装されているファイル管理機構２０を利用しているため、適切な日付時刻情報が設定されていれば、他の装置において記録された音声や静止画ファイルであっても、それらの再生タイミングを関連付けて再生することができ、静止画再生タイミング管理ファイルによる記憶メモリの消費量を抑えることができる。
【００３８】
さらに、本実施例では、「記録時刻＋Ｎ秒」とすることによって、表示する静止画が会議の議事内容を記述したホワイトボードの撮影画像等であった場合、早めに画像を表示することで、内容をより理解させやすくするという効果が得られる。
【００３９】
したがって、本実施例では、音声ファイルを記録する機器の操作時間と静止画ファイルを記録する機器の操作時間とが大きくずれた場合でも、音声ファイルと静止画ファイルとを組合せて再生することができる。
【産業上の利用可能性】
【００４０】
本発明では、上記の実施例において、音声及び静止画の記録及び再生する装置について述べたが、音声を記録する機器及び静止画を記録する機器、あるいは音声及び静止画の双方を記録する機器が接続可能で、それらを処理可能な再生装置にも適用可能である。本発明は、例えば携帯電話機、静止画カメラ、携帯情報端末等に適用可能である。
【図面の簡単な説明】
【００４１】
【図１】本発明の一実施例による再生装置の構成を示すブロック図である。
【図２】本発明の一実施例による再生装置の動作を示す図である。
【図３】本発明の一実施例による再生装置の動作を示す図である。
【図４】音声ファイルと静止画ファイルとの関係を示す図である。
【図５】本発明の一実施例による再生装置の動作を示すフローチャートである。
【図６】従来の表示タイミング静止画再生タイミング管理ファイルの構成を示す図である。
【符号の説明】
【００４２】
１  再生装置
１１  撮像素子
１２  画像処理回路
１３  画像データ処理機構
１４  システム制御機構
１５  画像表示機構
１６  マイク
１７  音声処理回路
１８  音声データ処理機構
１９  スピーカ
２０  ファイル管理機構
２１  記憶メモリ機構
２２  静止画撮影ボタン
２３  音声録音ボタン
２４  再生ボタン
【図１】
2006197042.tif 000003
【図２】
2006197042.tif 000004
【図３】
2006197042.tif 000005
【図４】
2006197042.tif 000006
【図５】
2006197042.tif 000007
【図６】
2006197042.tif 000008